(57)【要約】【課題】普通のゴルフグローブや作業用手袋を着脱自在に保持できる用具の提供。【解決手段】本発明にかかる保持具１は、一枚のアクリル樹脂板もしくはステンレススチール板を曲成して、掛合部２と保持手段３とを構成した。前記掛合部２は、本体プレート４の上縁に延設された舌片２１を前記本体プレート４に沿うように曲成したものであり、前記舌片２１と前記本体プレート４との間に、ズボンの上縁もしくはベルトの縁を挟むようにして掛合できるように構成されている。保持手段３は、本体プレート４の側縁に延設された舌片３１を前記本体プレート４に沿うように曲成したものであり、前記舌片３１と前記本体プレート４の表側面との間に、ゴルフグローブ等の保持対象物を挟みこむように構成されている。【選択図】　　　　　　図１
2004065367.tif 000002
【特許請求の範囲】
【請求項１】
ズボンの上縁もしくはベルトの縁に掛合可能な掛合手段と、
保持対象物を挟み込んで弾性復元力によって前記保持対象物を着脱自在に保持する保持手段とを具備したことを特徴とする保持具。
【発明の詳細な説明】
【０００１】
【発明の属する技術分野】
本発明は、ゴルフグローブや作業用の手袋を手近に保持できる用具に関するものである。
【０００２】
【従来の技術】
従来より、ゴルフプレイ中に用いる手袋（ゴルフグローブ）は、パッティングを行う場合等のように使用しないときにはポケットに収納することが多い。そして、また必要になった場合にはポケットから取り出して装着して使用することが多い。
このようなゴルフグローブの出し入れは不便であるとともに、ゴルフグローブをポケットから取り出すときに、ポケットに入っていたティーマーカやボールも一緒にこぼれ出てしまいやすい。
また、汗で湿ったゴルフグローブをポケットに収納すると汗が乾きにくく、次回に使用するときに不快であるとともに使用感が悪いという問題もある。
そこで、特開２００１−１３７４２０号に開示されているように、面結着手段を用いてゴルフグローブを着脱できるように構成したゴルフグローブ用ホルダーが提案されている。これは、ズボンのベルトやポケットに面結着手段を備えたホルダーを装着し、面結着手段が設けられたゴルフグローブを、前記ホルダーの面結着手段に結着させるように構成されたものである。
【０００３】
【発明が解決しようとする課題】
ところが、上述したような従来の保持具は、ゴルフグローブの面結着手段を備える必要があるので、そのような手段を備えていない普通のゴルフグローブや作業用手袋を結着できないという問題があった。
【０００４】
そこで、本発明は、普通のゴルフグローブや作業用手袋を着脱自在に保持できる用具の提供を目的としてなされたものである。
【０００５】
【課題を解決するための手段】
本発明にかかる保持具においては、ズボンの上縁もしくはベルトの縁に掛合可能な掛合手段と、保持対象物を挟み込んで弾性復元力によって前記保持対象物を着脱自在に保持する保持手段とを具備するという手段を講じた。
【０００６】
前記構成の保持具の掛合手段をズボンの上縁もしくはベルトの縁に掛合しておけば、前記保持手段具によってゴルフグローブや作業用手袋等の保持対象物を着脱自在に保持することができる。
例えば汗で湿ったゴルフグローブであっても、前記保持具で保持することによって、ポケットに入れなくてもよいので、乾きやすい。
また、ポケットから取り出す必要がないので、マーカ等がこぼれることもなくなる。
【０００７】
【発明の実施の形態】
以下に、本発明にかかる保持具を、その実施の形態を示した図面に基づいて詳細に説明する。
【０００８】
図１において、
１は本発明に係る保持具であり、一枚のアクリル樹脂板もしくはステンレススチール板を曲成して、掛合部２と保持手段３とを構成した。
前記掛合部２は、本体プレート４の上縁に延設された舌片２１を前記本体プレート４に沿うように曲成したものであり、前記舌片２１と前記本体プレート４との間に、ズボンの上縁もしくはベルトの縁を挟むようにして掛合できるように構成されている。即ち、ズボンの上縁もしくはベルトの縁を前記舌片２１と前記本体プレート４との間に差し込むときに、前記前記舌片２１と前記本体プレート４との隙間を押し広げて弾性変形させて、その弾性復元力によって、間に挟んだズボンの上縁もしくはベルトの縁を挟む。このようにして、保持具１はズボンもしくはベルトに掛合されるのである。
【０００９】
保持手段３は、本体プレート４の側縁に延設された舌片３１を前記本体プレート４に沿うように曲成したものであり、前記舌片３１と前記本体プレート４の表側面との間に、ゴルフグローブ等の保持対象物を挟みこむように構成されている。即ち、ゴルフグローブ等の保持対象物を前記舌片３１と前記本体プレート４との間に差し込むときに、前記前記舌片３１と前記本体プレート４との隙間を押し広げて弾性変形させて、その弾性復元力によって、間に挟んだゴルフグローブを保持する。
【００１０】
好適な実施形態の保持具１の寸法は、概略以下の通りである。図１において、本体プレート４の横幅Ｌ１は３５ｍｍで縦Ｌ２は３０ｍｍ、掛合部２の舌片２１の横幅Ｌ３は２０ｍｍで縦Ｌ４は３５ｍｍ、保持手段３の舌片３１の横幅Ｌ５は５０ｍｍで縦Ｌ６は２５〜３０ｍｍとする。また、保持手段３と本体プレート４との間隔は１２〜１５ｍｍ程度とするが、もっと狭い間隔として弾性変形によって広げることができる。
但し、何れの寸法も慨寸であり状況に応じて長短変更することができることは言うまでもない。
【００１１】
そして、好適な実施形態の保持具１の形状は、図１に示したように、掛合部２の舌片２１はズボンやベルトの裏側に差込みやすいように曲面状に形成することが好ましい。
また、保持手段３の舌片３１は意匠的な特徴を持たせるために、５本の指状の形状とすることができる。
なお、上記形状はあくまでも一例であって、かかる形状に限定されるものではない。
【００１２】
図２は、上記構成の保持具１の使用状態を説明する図であり、ズボン１０の腰部に装着した状態を示している。
図２に示したように、保持具１の保持手段３にゴルフグローブ２０が挟まれて保持されている。
保持具１の前方から引き抜いて取り外せるので、迅速に手にはめることができる。
【００１３】
従って、常時ゴルフグローブを携行して、何時でも使用し、何時でもしまうことができる。
さらに、確実に保持できるのでゴルフグローブの紛失も防止できる。
また、ズボンのポケットの中を汚さないので、快適に使用できる。
なお、保持対象物としては、ゴルフグローブに限らず、各種作業用の手袋や、タオル等も保持できる。
また、左右に保持具１を装着してもよい。
【００１４】
【発明の効果】
以上のように、本発明の保持具によれば、面結着手段を備えていない普通のゴルフグローブや作業用手袋、さらには、タオル等の種々の保持対象物を保持できるので、それらの保持対象物を随時着脱できるとともに、保持対象物を取り出すときにティーマーカやボールがこぼれてしまうこともなく、また、汗で湿ったゴルフグローブでも乾きやすくなり、快適に使用できる。
【図面の簡単な説明】
【図１】本発明にかかる保持具の実施の形態の構成を示した構成図である。
【図２】前記保持具の使用状態の説明図である。
【符号の説明】
１　　保持具
２　　掛合部
２１　舌片
３　　保持手段
３１　舌片
４　　本体プレート
１０　　ズボン
２０ゴルフグローブ
【図１】
2004065367.tif 000003
【図２】
2004065367.tif 000004